(57)【要約】【課題】モータの性能は、噴霧を均一に吹き付けるポンプにとって非常に重要である。モータの大きさ及び費用も、ポンプ自体の大きさ及び費用に影響する重要な要因である。【解決手段】医療ポンプは、単相同期モータと、ロッドピストンと、ロッドピストンを収容して内部で往復運動させるためのシリンダとを含む。単相同期モータは、ステータと、ステータに対して回転可能なロータとを含む。ロータは複数の永久磁石を含む。ステータは、ステータコアと、ステータコアに巻き付けた巻線とを備える。ステータコアは向かい側にある２つの極部分を備え、両極部分は、間に永久磁石を収容するためのロータ収容空間を定める。医療ポンプは構造がコンパクトである。加えて、医療ポンプのモータは、医療ポンプで使用される従来のモータと同じ出力動力条件の下において、回転速度が一定であり、より小型でしかも軽量である。医療ポンプは、具体的には噴霧器での使用に適する。【選択図】図１
2017169439.tif 000002
【特許請求の範囲】
【請求項１】
医療ポンプであって、
ステータと、前記ステータに対して回転可能なロータとを含む単相同期モータを備え、前記ロータは複数の永久磁石を有し、前記ステータは、ステータコアと、前記ステータコアの周りに巻き付けた巻線とを有する、ことを特徴とする医療ポンプ。
【請求項２】
前記ステータコアは、向かい側にあって間に収容空間を定める２つの極部分を備え、前記永久磁石は、前記収容空間に収容されて、前記ステータの前記極部分に対向する２つの永久磁極を形成する、請求項１に記載の医療ポンプ。
【請求項３】
前記永久磁石の各々の外側面は円弧面であり、前記ロータの前記永久磁石及び前記ステータの前記極部分は、それらの間に、厚さが不均一な空隙を定める、請求項１又は２に記載の医療ポンプ。
【請求項４】
前記永久磁極の各々の前記外側面から前記ロータの軸線までの距離は、前記永久磁極の前記外側面の円周方向中央部から２つの円周方向端部に向かって漸減し、前記空隙の前記厚さは、前記永久磁極の前記円周方向中央部から前記２つの円周方向端部に向かって漸増する、請求項２に記載の中間ポンプ。
【請求項５】
該医療ポンプはＵ字形ブラケットをさらに備え、前記ブラケットは、前記２つの極部分を定める前記ステータコアの端部を取り囲む、請求項２に記載の中間ポンプ。
【請求項６】
前記ステータコアの前記外側面は第１の溝又は第１のリブを形成し、前記ブラケットの内側面は第１のリブ又は第１の溝を形成し、前記第１の溝と前記第１のリブとは、係合して前記ステータコアを前記ブラケットに取り付ける、請求項５に記載の中間ポンプ。
【請求項７】
前記２つの向かい側の極部分は離れており、前記ブラケットは、前記２つの向かい側の極部分間に形成された隙間内に延びるリブを形成する、請求項５に記載の中間ポンプ。
【請求項８】
前記ステータは、前記ブラケットの底部及び頂部にそれぞれ取り付けたフレーム及びカバーをさらに備え、前記ステータコアは、軸方向で前記フレームと前記カバーとの間に位置決めされ、前記ロータは、前記フレーム及び前記カバーに回転可能に取り付ける、請求項５に記載の中間ポンプ。
【請求項９】
前記ステータコアは、［形状とされた第１のコア部分と、］形状とされた第２のコア部分とを含み、前記両コア部分は直面様式で接合され、前記第１のコア部分の第１の端部及び前記第２のコア部品の第１の端部は、それぞれ極部分を形成し、前記第１のコア部分の第２の端部及び前記第２のコア部品の第２の端部は、互いに連結される、請求項２に記載の中間ポンプ。
【請求項１０】
該医療ポンプは、ＡＣ−ＤＣ変換回路及び双方向ＡＣスイッチをさらに備え、外部ＡＣ電力及び前記モータの前記ステータ巻線は、第１のノードと第２のノードとの間に直列に接続され、前記ＡＣ−ＤＣ変換回路及び前記双方向ＡＣスイッチは、前記第１のノードと前記第２のノードとの間に並列に接続される、請求項１に記載の中間ポンプ。
【請求項１１】
前記ロータは、定常状態において３０００ＲＰＭ又は３６００ＲＰＭの一定速度で回転する、請求項１に記載の中間ポンプ。
【請求項１２】
前記同期モータは、入力電力が４５Ｗから５０Ｗであり、電流が０．４Ａから０．６Ａであり、前記ステータコアは、長さＬ１が５０ｍｍから６５ｍｍであり、幅Ｌ２が２０ｍｍから３０ｍｍである、請求項１に記載の中間ポンプ。
【請求項１３】
回転軸線の中心までの各ステータ極部分の極面の距離は、前記ロータの円周方向に沿って、前記極面の一端から他端まで漸増する、請求項１から３の何れかに記載の中間ポンプ。
【請求項１４】
該ポンプは、前記単相同期モータによって駆動されるロッドピストンと、前記ロッドピストンを収容して内部で往復運動させるためのシリンダとをさらに備える、請求項１から１３の何れかに記載の中間ポンプ。
【発明の詳細な説明】
【技術分野】
【０００１】
［関連出願の相互参照］
[0002]  この非仮特許出願は、２０１６年２月２日に中華人民共和国で出願された特許出願２０１６１００７４１７３．７号の３５ＵＳＣ§１１９（ａ）に基づく優先権を主張する。
[0003]  この発明は、医療機器に、具体的には医療ポンプに関する。
【背景技術】
【０００２】
[0004]  モータは、現在の医療ポンプの重要な構成部品である。モータの性能は、噴霧を均一に吹き付けるポンプにとって非常に重要である。モータの大きさ及び費用も、ポンプ自体の大きさ及び費用に影響する重要な要因である。
【発明の概要】
【発明が解決しようとする課題】
【０００３】
[0005]  従って、上記問題に対処する医療ポンプに対する要望がある。
【課題を解決するための手段】
【０００４】
[0006]  単相同期モータを含む医療ポンプが提供される。単相同期モータは、ステータと、ステータに対して回転可能なロータとを含む。ロータは複数の永久磁石を含む。ステータは、ステータコアと、ステータコアの周りに巻き付けた巻線とを備える。ステータコアは、向かい側にあって間に永久磁石を収容するための収容空間を定める、２つの極部分を備える。
【０００５】
[0007]  ステータコアは、向かい側にあって間に収容空間を定める２つの極部分を備え、永久磁石は、収容空間に収容されて、ステータの極部分に対向する２つの永久磁極を形成することが好ましい。
【０００６】
[0008]  永久磁石の各々の外側面は円弧面であり、ロータの永久磁石及びステータの極部分は、それらの間に、厚さが不均一な空隙を定めることが好ましい。
【０００７】
[0009]  永久磁極の各々の外側面からロータの軸線までの距離は、永久磁極の外側面の円周方向中央部から２つの円周方向端部に向かって漸減し、空隙の厚さは、永久磁極の円周方向中央部から２つの円周方向端部に向かって漸増することが好ましい。
【０００８】
[0010]  医療ポンプはＵ字形ブラケットをさらに備え、ブラケットは、２つの極部分を定めるステータコアの端部を取り囲むことが好ましい。
【０００９】
[0011]  ステータコアの外側面は第１の溝又は第１のリブを形成し、ブラケットの内側面は第１のリブ又は第１の溝を形成し、第１の溝と第１のリブとは、係合してステータコアをブラケットに取り付けることが好ましい。
【００１０】
[0012]  ２つの向かい側の極部分は離れており、ブラケットは、２つの向かい側の極部分間に形成された隙間内に延びるリブを形成することが好ましい。
【００１１】
[0013]  ステータは、ブラケットの底部及び頂部にそれぞれ取り付けたフレーム及びカバーをさらに備え、ステータコアは、軸方向でフレームとカバーとの間に位置決めされ、ロータは、フレーム及びカバーに回転可能に取り付けることが好ましい。
【００１２】
[0014]  ステータコアは、［形状とされた第１のコア部分と、］形状とされた第２のコア部分とを含み、両コア部分は直面様式で接合され、第１のコア部分の第１の端部及び第２のコア部品の第１の端部は、それぞれ極部分を形成し、第１のコア部分の第２の端部及び第２のコア部品の第２の端部は、互いに連結されることが好ましい。
【００１３】
[0015]  医療ポンプは、ＡＣ−ＤＣ変換回路及び双方向ＡＣスイッチをさらに備えることが好ましい。モータのステータ巻線及び外部ＡＣ電力は、第１のノードと第２のノードとの間に直列に接続され、ＡＣ−ＤＣ変換回路及び双方向ＡＣスイッチは、第１のノードと第２のノードとの間に並列に接続される。
【００１４】
[0016]  ロータは、定常状態において３０００ＲＰＭ又は３６００ＲＰＭの一定速度で回転することが好ましい。
【００１５】
[0017]  同期モータは、入力電力が４５Ｗから５０Ｗであり、電流が０．４Ａから０．６Ａであることが好ましい。
【００１６】
[0018]  ステータコアは、長さが５０ｍｍから６５ｍｍであり、幅Ｌ２が２０ｍｍから３０ｍｍであることが好ましい。
【００１７】
[0019]  ポンプは、単相同期モータによって駆動されるロッドピストンと、ロッドピストンを収容して内部で往復運動させるためのシリンダとをさらに備えることが好ましい。
【００１８】
[0020]  単相モータは駆動回路をさらに備え、ステータ巻線は、第１のノードと第２のノードとの間にＡＣ電源と直列に接続するのに適し、駆動回路は、第１のノードと第２のノードとの間に接続された制御可能な双方向ＡＣスイッチと、第１のノードと第２のノードとの間に制御可能な双方向ＡＣスイッチと並列に接続されたＡＣ−ＤＣ変換回路と、永久磁石ロータの磁極位置を検出するように構成された位置センサと、制御可能な双方向ＡＣスイッチを制御してスイッチオン状態とスイッチオフ状態との間で所定の方法で切り換えるように構成されたスイッチ制御回路であって、切換えは永久磁石ロータの磁極位置及びＡＣ電源の極性に基づき、ステータ巻線がロータを駆動して所定方向だけに回転させるようにするスイッチ制御回路と、を備えることが好ましい。第１のノードと第２のノードとが双方向ＡＣスイッチによって短絡されると、電流はＡＣ−ＤＣ変換回路を流れない。
【００１９】
[0021]  要約すると、本発明は、医療ポンプを提供する。医療ポンプは単相同期モータを利用し、単相同期モータは、電圧変動に影響を受けず回転速度が一定であり、しかも小型である。
【００２０】
[0022]  本発明の技術的解決策は、詳細な説明、特許請求の範囲及び添付図面を考慮することにより明らかになる。
【００２１】
[0023]  本発明のこれらの及び他の特徴は、以下の明細書及び図面をさらに詳しく検討すれば容易に明らかになる。各図は、例示目的にすぎず、限定であるとみなすべきではない。各図を以下に列挙する。
【図面の簡単な説明】
【００２２】
【図１】本発明の実施形態による医療ポンプを示す図である。
【図２】図１の医療ポンプのロッドピストンを示す図である。
【図３】図１の医療ポンプのモータを示す図である。
【図４】図３のモータのロータを示す図である。
【図５】図３のモータの、ステータ固定部材のフレーム及びカバーを除いた上平面図である。
【図６】図３のモータのステータコアを示す図である。
【図７】図３のモータにおけるステータ固定部材の分解組立図である。
【図８】本発明の１つの実施形態による駆動回路の一部を示す図である。
【図９】本発明の別の実施形態によるモータの上平面図である。
【発明を実施するための形態】
【００２３】
[0033]  図１及び図２を参照して、本発明は、医療ポンプを提供する。医療ポンプは、モータ８０と、モータ８０の出力軸に取り付けた偏心クランク９１と、ロッドピストン９３と、シリンダ９７とを含む。ロッドピストン９３の一端は、偏心クランク９１に連結されて偏心クランク９１によって駆動されるリング体９２を含み、ロッドピストン９３の他端はピストン９４を含む。ロッドピストン９３のピストン９４がシリンダ９７内で往復移動できるように、ロッドピストン９３の他端はシリンダ９７に収納される。シリンダ９７は、入口９５及び出口９９を有する。動作時、モータ８０は、ロッドピストン９３を駆動してシリンダ９７で往復移動させ、それにより空気のような流体が圧縮され、流体は出口９９から噴き出す。
【００２４】
[0034]  図３及び図４を参照して、モータ８０は、ステータ２０と、ステータ２０に対して回転可能なロータ１０とを含む単相同期モータである。ステータ２０は、ステータコア２１と、ステータコア２１の周りに巻き付けたステータ巻線２３とを含む。ステータ巻線２３とステータコア２１との間に、ステータ巻線２３及びステータコア２１を絶縁するために、絶縁部材が配置される。具体的には、ステータ巻線２３は、ステータコア２１の周りに取り付けた絶縁ブラケット２２の周りに巻き付ける。ステータコア２１は、ステータ固定部材４０（図７）に固定される。ロータ１０は、ステータ固定部材４０に回転可能に取り付ける。この実施形態では、ロータ１０の回転軸１１は、モータ８０の出力軸として作動する。
【００２５】
[0035]  ロータ１０は、回転軸１１に固定されたロータコア１３と、ロータコア１３の外周面に取り付けた複数の永久磁石１５とを含む。永久磁石１５は、ロータコア１３の円周方向に沿って配置される。ロータコア１３の外周面に複数の軸方向延在リブ１４がさらに設けられ、各リブは、対応する２つの隣接する永久磁石１５間に位置する。この実施形態では、半径方向に分極される２つの弓形の永久磁石１５があり、リブ１４の数も２つである。代替的な実施形態では、永久磁石は、回転軸に直接固定することができる。代替的な実施形態では、各永久磁石１５は、１つの永久磁極を形成する。多数の永久磁石１５が協働して１つの永久磁極を形成できることを理解されたい。
【００２６】
[0036]  図５から図７を参照して、ステータコア２１は２つの向かい側にある極部分２５を含む。２つの向かい側の極部分２５は、それらの間に、永久磁石１５を収容するロータ収容空間２７を形成する。この実施形態では、ステータコア２１は、横断面図がほぼ長方形であり、［形状とされた第１のコア部分２１ａと、］形状とされた第２のコア部分２１ｂとを含み、それらは直面様式で一緒に係合している。第１のコア部分２１ａの一端及び第２のコア部分２１ｂの一端は、それぞれ、係止凹所２４ａ及びありつぎ突起２４ｂを形成し、係止凹所２４ａとありつぎ突起２４ｂとの間の連結によって互いに係合している。第１のコア部分２１ａの他端及び第２のコア部品２１ｂの他端は、それぞれ、対応する極部分２５を形成する。各極部分２５はくぼんだ円弧極面２６を有する。２つの極面２６は、互いに対向して、それらの間にロータを収容するためのロータ収容空間２７を定める。極面２６は、そこからくぼんだ位置決め溝２８を形成する。従って、極面２６のうち位置決め溝２８が位置する領域からロータ軸線までの距離は、極面２６の他の領域からロータ軸線までの距離よりも大きい。ステータ巻線が通電されないとき、ロータは、位置決め溝２８が存在するおかげで、モータのロータ磁極１５の半径方向中間部が１つの対応するステータ極部分２５の半径方向中間部からずれた、初期位置に位置決めすることができる。ロータの停止位置又は初期位置は、ロータの停止位置が死点位置（ロータ極の半径方向中間部がステータ磁部分の半径方向中間部と整列する）からずれるように、制御することができる。位置決め溝２８は、モータの軸方向に沿って連続的に又は不連続的に延びている。位置決め溝２８は、ステータ極部分２５の中央部からずれ、それによりロータを一方向において他の反対方向よりも容易に起動することが好ましい。極面２６の大部分は、位置決め溝の領域を除いて、ロータと同心の同じ円筒面上に位置することが好ましい。ステータコア２１は、長さＬ１が例えば６５ｍｍである６０ｍｍから７０ｍｍの範囲であり、幅Ｌ２が２０ｍｍから３０ｍｍの範囲であることが好ましい。
【００２７】
[0037]  この実施形態では、ロータ２０の各永久磁石１５の外側面は、永久磁石１５と極部分２５との間に不均一な空隙１９（図５）が形成されるように、円弧面である。特定の実施形態では、永久磁石１５の厚さは、円周方向中央部から２つの円周方向端部に向かって漸減して、永久磁石の外周面からロータの軸線までの距離が、円周方向中央部から２つの円周方向端部に向かって漸減している。従って、ロータの永久磁石の外周面とステータ極部分２５との間の空隙１９の厚さは、永久磁石１５の円周方向中央部から２つの円周方向端部まで漸減する。永久磁石の外周面は、永久磁石の円周方向中央部に関して対称であり、その結果ステータ極部分２５間に形成された位置決め溝２８又は隙間３９が位置する領域を除いて、永久磁石１５の円周方向中央部に関して実質的に対称である、実質的に対称で不均一な空隙が得られることが好ましい。
【００２８】
[0038]  ステータコア２１は、図７に示すようなステータ固定部材４０に固定される。ステータ固定部材４０は、Ｕ字形のブラケット４１と、ブラケット４１の底部に固定されたフレーム５１と、ブラケット４１の頂部に固定されたカバー６１とを含む。フレーム５１は第１のハブ５２を含む。第１のハブ５２に軸受（図示しない）を取り付け、回転軸２１は軸受に支持される。カバー６１は、回転軸２１がステータ３０に対して回転可能なように、回転軸２１を同様に支持する第２のハブ６２を含む。この実施形態では、ブラケット４１は、モータの軸方向に延びる第１の貫通穴４４を有する。フレーム５１及びカバー６１は、第１の貫通穴４４に対応する第２の貫通穴５４及び第３の貫通穴６４を形成する。フレーム５１及びカバー６１は、貫通穴４４、５４及び６４を順次通過する連結部材（図示しない）により、ブラケット４１の向かい側の両端部に固定することができる。極部分２５を有するステータコア２１の端部は、Ｕ字形ブラケット４１に固定されかつＵ字形ブラケット４１によって取り囲まれ、軸方向でフレーム５１とカバー６１との間に位置決めされる。
【００２９】
[0039]  ブラケット４１、フレーム５１及びカバー６１間の位置決め及び組立てを助長するために、フレーム５１は、第２の貫通穴５４の端部に第１の突出リング５６を形成する。第１の突出リング５６は、ブラケット４１の第１の貫通穴４４に挿入することができる。第１の突出リング５６は、第１の貫通穴４４の内壁面に対してわずかに締嵌めであることが好ましい。同様に、カバー６１は、第３の貫通穴６４の端部に第２の突出リング６６を形成する。第２の突出リング６６は、ブラケット４１の第１の貫通穴４４に挿入することができる。第２の突出リング６６は、第１の貫通穴４４の内壁面に対してわずかに締嵌めであることが好ましい。組立時、第１の突出リング５６を第１の貫通穴４４の下端部に挿入して、ブラケット４１をフレーム５１に取り付ける。次いで、ステータコア２１及びロータをブラケット４１に取り付け、ロータの軸１１をフレーム５１のハブ５２に挿入する。次いで、第２の突出リング５９を第１の貫通穴４４の上端部に挿入して、カバー６１を取り付け、これによってブラケット４１、フレーム５１、ステータ２０、ロータ１０及びカバー６１を一緒に固定して組み立てる。
【００３０】
[0040]  Ｕ字形ブラケット４１は、ステータコア２１のうちロータ収容空間２７を形成する一端の外周の周りに取り付ける。ステータコア２１とブラケット４１との間に凹凸係止構造が形成され、それらの間の連結を係止することが好ましい。図５も参照して、この実施形態では、ステータコア２１の外周に、複数の軸方向の第１の溝２９及び第２の溝３１が形成され、ブラケット４１の内壁面が、第１の溝２９に係合するための複数の第１のリブ４７を形成し、これにより凹凸係止構造が形成される。第１の溝２９の内側面は滑らかな円弧面であり、第１のリブ４７の外側面もまた滑らかな円弧面である。第１のリブ４７及び第１の溝２９は、協働して案内構造を形成し、それによりブラケット４１へのステータコア２１の取付けが助長される。ブラケット４１の内壁面は、第２の溝３１と協働して貫通穴を形成するために複数の第３の溝４８をさらに形成し、これらの貫通穴は、ステータコアを位置決めしてステータとロータとの間の同心性を保証するために使用できる。
【００３１】
[0041]  ステータコアの向かい側にある２つの極部分２５は離れていることが好ましく、その場合、Ｕ字形ブラケット４１の側壁面にリブ４９を形成することができ、リブ４９は、ステータコア２１の２つの極部分２５間に形成された隙間３９内に延びることが好ましい。２つの向かい側の極部分２５は、磁気抵抗が大きい磁気ブリッジによって一緒に連結しても良いことを理解されたい。磁気ブリッジは、極部分２５と一体に形成することができる。
【００３２】
[0042]  図８は、本発明の単相永久磁石式ブラシレスモータの駆動回路を示すブロック図である。駆動回路では、２つのノードＡとノードＢとの間に、ステータ巻線２３及び交流（ＡＣ）電力８１が直列に接続される。交流電力８１は、５０Ｈｚ又は６０Ｈｚのような一定周波数を備えた商用ＡＣ電源であることが好ましく、供給電圧は、例えば１１０Ｖ、２２０Ｖ又は２３０Ｖとすることができる。ノード８４とノード８５との間に直列に接続されたステータ巻線２３及びＡＣ電力８１と並列に、制御可能な双方向ＡＣスイッチ８２が接続される。双方向ＡＣスイッチ８２は、２つのノードＡ及びノードＢにそれぞれ接続された２つの陽極を有する、トリオードＡＣスイッチ（ＴＲＩＡＣ）であることが好ましい。制御可能な双方向ＡＣスイッチ８２は、逆並列に接続された２つのシリコン制御整流器とすることができ、制御回路は、予めセットした方法で２つのシリコン制御整流器を制御するように相応して構成できることを理解されたい。２つのノードＡとノードＢとの間に、ＡＣ−ＤＣ変換回路８３がスイッチ８１と並列に接続される。２つのノードＡとノードＢとの間のＡＣ電圧は、ＡＣ−ＤＣ変換回路８３によって低電圧ＤＣに変換される。ロータの位置を検知するために位置センサ２０が使用され、位置センサ２０は、ＡＣ−ＤＣ変換回路８３から出力される低電圧ＤＣ電力によって給電され、同期モータ１０の永久磁石ロータ１４の磁極の位置を検出して、対応する信号を出力する。スイッチ制御回路８５は、ＡＣ−ＤＣ変換回路８３、位置センサ２０及び双方向ＡＣスイッチ８２に接続され、永久磁石ロータの磁極位置及び交流電力の極性に基づき、双方向スイッチ８２を制御してスイッチオン状態とスイッチオフ状態との間で所定の方法によって切り換えるように構成され、結果としてモータの始動段階にステータ巻線２３がロータを付勢して、上述した一定の始動方向にのみ回転させる。この実施形態では、制御可能な双方向ＡＣスイッチ８２がスイッチオンした場合、２つのノードＡ及びノードＢが短絡して、ＡＣ−ＤＣ変換回路８３は電気エネルギを消費せず、その理由は、電流がＡＣ−ＤＣ変換回路８３を流れないので、電気エネルギの利用効率が大幅に改善できるためである。
【００３３】
[0043]  ステータ巻線及び外部ＡＣ電力が直列に接続されたとき、本発明の単相同期モータ５０は、入力電力が４５Ｗから５０Ｗであり、電流が０．４Ａから０．６Ａである。モータのロータ２０は、定常状態では、３０００ＲＰＭのような２８００ＲＰＭから３８００ＲＰＭまでの一定速度で回転することができる。代替的に、モータが別の地区で使用されるとき、ロータ２０は、３６００ＲＰＭ（６０Ｈｚ）の一定速度で回転する。
【００３４】
[0044]  図９は、本発明の別の実施形態によるモータの上平面図である。
【００３５】
[0045]  この実施形態では、各永久磁石１５の半径方向外側面は、円弧面部分の２つの端部に、円弧面部分及び平面部分を含む。２つの永久磁石の平面部分同士は、連結されて同一平面状にある。２つの永久磁石の円弧面部分は、回転軸１１と同心の同じ円筒面上に位置することが好ましい。ステータ極部分２５の磁極面２６から回転軸１１の中心までの距離は、ロータの円周方向に沿って磁極面２６の一端から他端まで漸増し、それによってロータ永久の磁極１５とステータ極部分２５との間に不均一な空隙１９が得られる。２つのステータ極部分２５の磁極面２６のうち回転軸１１の中心から最も遠い両端部は、半径方向に沿って回転軸１１の中心に関して対称であることが好ましい。ロータ永久磁極１５は、極円弧係数が０．７５から０．９５であることが好ましく、０．９から０．９５であることがより好ましい。この実施形態では、２つの分離した弓形の永久磁極１５を使用したおかげで、永久磁極１５の極円弧角度がより大きくなり、それによりモータのコギングトルクが低減されてロータの回転がより滑らかになり、しかも一体の環状磁石と比べて費用が削減される。
【００３６】
[0046]  この実施形態のロータはまた、上記実施形態で使用するような永久磁極も使用することができ、すなわち、永久磁極１５の厚さは、円周方向中央部から２つの円周方向端部に向かって漸減し、結果として空隙１９の厚さは、永久磁極１５の円周方向中央部から２つの円周方向端部に向かって漸増することを理解されたい。
【００３７】
[0047]  本発明の医療ポンプは、構造が単純でありしかもサイズが小さく、それにより費用が有効に削減される。加えて、医療ポンプのモータの回転速度は一定であり、電圧変動に影響されない。医療ポンプは、具体的には噴霧器で使用するのに適し、モータ速度が一定でありしかも安定した空気圧を産出して、より均一な噴霧を供給することができる。加えて、モータは、医療ポンプで使用される従来のモータと同じ出力動力条件の下において、高効率で、小型でしかも軽量である。
【００３８】
[0048]  本発明が１つ又はそれよりも多い実施形態を参照して説明されるが、実施形態の上記説明は、当業者が本発明を実行又は使用可能とするためだけに用いる。当業者であれば、本発明の精神又は範囲から逸脱することなく様々な修正が可能であることを理解されたい。本明細書に例示された実施形態は、本発明の限定として解釈されるべきではなく、本発明の範囲は、以下の特許請求の範囲を参照することによって決まる。
【符号の説明】
【００３９】
１０  ロータ
１５  永久磁石
２０  ステータ
２１  ステータコア
２３  ステータ巻線
８０  モータ
９１  偏心クランク
９３  ロッドピストン
９５  入口
９７  シリンダ
９９  出口
【図１】
2017169439.tif 000003
【図２】
2017169439.tif 000004
【図３】
2017169439.tif 000005
【図４】
2017169439.tif 000006
【図５】
2017169439.tif 000007
【図６】
2017169439.tif 000008
【図７】
2017169439.tif 000009
【図８】
2017169439.tif 000010
【図９】
2017169439.tif 000011
【外国語明細書】
2017169439000001.pdf